(57)【要約】【課題】本発明は、換気フードに関し、雨水の室内側への浸入を確実に防止することが課題である。【解決手段】換気フードを、室内に連通する筒状のダクト２と、該ダクトに一端側が接続され建物４の壁面から立ち上がって開口している円筒状の内筒３と、該内筒を間隙を有して外側に被せるように形成されたお椀形で前記建物の壁面に固定されるフード本体５とから構成し、前記内筒３と前記フード本体５との間隙によって前記ダクト軸心ａ回りの全周に渡ってトラップ構造ｂが形成されている換気フード１とするものである。【選択図】図１
2009198106.tif 000002
【特許請求の範囲】
【請求項１】
換気フードを、室内に連通する筒状のダクトと、該ダクトに一端側が接続され建物の壁面から立ち上がって開口している円筒状の内筒と、該内筒を間隙を有して外側に被せるように形成されたお椀形で前記建物の壁面に固定されるフード本体とから構成し、
前記内筒と前記フード本体との間隙によって前記ダクト軸心回りの全周に渡ってトラップ構造が形成されていること、
を特徴とする換気フード。
【請求項２】
フード本体は、建物の壁面側から立設される位置調節可能な支持手段により、ダクト軸心と平行な方向においてフード本体の裏面と内筒の開口端面との間隙を調節自在にしたこと、
を特徴とする換気フード。
【請求項３】
内筒の直径は、ダクトの直径よりも大きく、前記内筒の下端部とダクトの開口端部とがフランジ部で一体的に接続され、鉛直方向において内筒の下端部とダクトの開口部の下端部との位置に段差が設けられていること、
をとする請求項１乃至２のいずれかに記載の換気フード。
【請求項４】
内筒の開口端部の周縁に、水が内部に浸入するのを防止する折り返しの鍔を設けたこと、
を特徴とする請求項１乃至３のいずれかに記載の換気フード。
【発明の詳細な説明】
【技術分野】
【０００１】
本発明は、建物の室内換気のために用いる給気用の換気扇における、室外側を覆う換気フードであって、特に雨天時における雨水の浸入防止用の構造に関するものである。
【背景技術】
【０００２】
従来、換気扇用の雨水防止用フードとしては、図３に示すように、換気フード１０の下方または側面に給排気口１１が設けられている。また、換気フードの下端内側に設けた内部樋の排水口から落下する雨水が気流に巻き込まれて室内に吸引されるのを防止するようにしたものが知られている（特許文献１参照）。
【特許文献１】特開平０７−１９５５０号公報
【発明の開示】
【発明が解決しようとする課題】
【０００３】
しかし、従来の換気フードでは、給排気量に見合った十分な給排気口面積が確保されていないので、換気用空気の風速が早くなって給気時に雨水の吸い込み・浸入が懸念される。また、換気フードの給排気量は、換気フードの機種により固定されているので給排気量の調整ができないものである。更に、強風時や台風時の対策が施されていないという、課題がある。また、前記特許文献１に記載のフードカバーであっても、排水口の雨水の落下が阻害されなくなるが、風速が強いと開口部から室内への雨水の浸入には対処できないものである。本発明に係る換気フードは、このような課題を解決するために提案されたものである。
【課題を解決するための手段】
【０００４】
本発明に係る換気フードの上記課題を解決して目的を達成するための要旨は、換気フードを、室内に連通する筒状のダクトと、該ダクトに一端側が接続され建物の壁面から立ち上がって開口している円筒状の内筒と、該内筒を間隙を有して外側に被せるように形成されたお椀形で前記建物の壁面に固定されるフード本体とから構成し、前記内筒と前記フード本体との間隙によって前記ダクト軸心回りの全周に渡ってトラップ構造が形成されていることである。
【０００５】
前記フード本体は、建物の壁面側から立設される位置調節可能な支持手段により、ダクト軸心と平行な方向においてフード本体の裏面と内筒の開口端面との間隙を調節自在にしたことである。
また、前記内筒の直径は、ダクトの直径よりも大きく、前記内筒の下端部とダクトの開口端部とがフランジ部で一体的に接続され、鉛直方向において内筒の下端部とダクトの開口部の下端部との位置に段差が設けられていることである。
更に、前記内筒の開口端部の周縁に、水が内部に浸入するのを防止する折り返しの鍔を設けたことを含むものである。
【発明の効果】
【０００６】
本発明の換気フードによれば、フード本体と内筒とにより、ダクト軸心回りに３６０°のトラップ構造が形成され、給気時においてそのトラップ構造の全周から外気を吸入できるので、風速を低減することができて雨水の浸入を防止することができる。
また、建物の壁面側から立設される位置調節可能な支持手段によって、フード本体の位置を調節することで、内筒の開口端面との間隙が調節され、風量及び風速を調節することができる。
更に、鉛直方向において内筒の下端部とダクトの開口部の下端部との位置に段差が設けられているので、雨水の水はけが良くなり、風速が低減されたことと相まって雨水の浸入が防止される。更に、内筒の開口端部の周縁に、水が内部に浸入するのを防止する折り返しの鍔を設けることで、雨水のダクト内部への浸入を効果的に防止できる。
【発明を実施するための最良の形態】
【０００７】
本発明に係る換気フード１は、図１に示すように、室内に連通する筒状のダクト２と、該ダクト２に一端側３ａが接続され建物４の壁面４ａから立ち上がって開口している円筒状の内筒３と、該内筒３を間隙を有して外側に被せるように形成されたお椀形で前記建物４の壁面４ａに固定されるフード本体５とから構成されている。そして、前記内筒３と前記フード本体５との間隙によって前記ダクト軸心ａ回りの全周に渡ってトラップ構造ｂが形成されている。
【０００８】
前記フード本体５は、円形状の平板５ａと、その全周縁から略直交し起立して延設されるフランジ５ｂとで構成され、有底筒状で略お椀形、若しくはタライ形に形成されている。そして、このフード本体５は、前記建物４の壁面４ａ側から立設される位置調節可能な支持手段、例えばネジ付きボルト６により、前記ダクト軸心ａと平行な方向において、フード本体５の裏面と内筒３の開口端面３ｂとの間隙ｃを調節自在にしている。このボルト６は、壁面４ａ側に雌ネジを固定しておいて、これに雄ネジを螺着させる構造や、その他の公知の長さ調節手段で実現できる。
【０００９】
また、内筒３の直径は、ダクト２の直径よりも大きく、前記内筒３の下端部３ｃとダクト２の開口端部２ａとがフランジ部７で一体的に接続されている。このフランジ部７と前記壁面４ａとの間には、シーリング材８が全周に渡って充填されている。そして、鉛直方向において内筒３の下端部とダクト２の開口部の下端部との位置に段差ｄが設けられている。
【００１０】
前記ダクト２と内筒３の下端部との段差ｄは、雨水が確実に外部へと導くためであり、ダクト２側に戻らないようにして水はけを良くするものである。なお、ダクト２の開口端部２ａには、防虫用の網９が設けられている。
【００１１】
その他の実施例として、図２に示すように、内筒３の開口端部３ｂに折り返しの鍔（つば）３ｄを全周に渡って設けるようにする。こうすることで、雨水が上方から、あるいは側方から浸入しても、内筒３の外筒表面を伝わって落下する様になり、ダクト２内に侵入しないものである。また、前記フード本体５及び内筒３は、円形状に限らず四角形やその他の多角形状でもよい。
【図面の簡単な説明】
【００１２】
【図１】本発明に係る換気フード１の縦断面図である。
【図２】同本発明の換気フード１に係る他の実施例を示す一部縦断面図である。
【図３】従来例に係る換気フード１０の縦断面図である。
【符号の説明】
【００１３】
１          換気フード、
２          ダクト、                        ２ａ        開口端部、
３          内筒、                          ３ａ        一端側、
３ｂ        開口端部、                      ３ｃ        下端部、
３ｄ        鍔、
４          建物、                          ４ａ        壁面、
５          フード本体、                    ５ａ        平板、
５ｂ        フランジ、  
６          ボルト、
７          フランジ部、
８          シーリング材、
９          網、
１０        従来の換気フード、
ａ          ダクト軸心、
ｂ          トラップ構造、
ｃ          間隙。
【図１】
2009198106.tif 000003
【図２】
2009198106.tif 000004
【図３】
2009198106.tif 000005